(57)【要約】【課題】本発明は、相対回転性を低下させることなく、前記回転体の回転に伴って装置内部で異物が支障をきたすことを防止できる回転コネクタ装置を提供することを目的とする。【解決手段】環状の天板部１１及び天板部１１の内周縁に形成された円筒状の内周筒部１２で構成したロテータ１０と、環状の底板部２１及び底板部２１の外周縁に設けられた外周筒部２２で構成したステータ２０とが相対回転自在に組み付けられ、ＳＲＣ１の内部に形成された収容空間Ｓに巻き回したフラットケーブルＦが収容されたＳＲＣ１における収容空間Ｓと通じる装置内部のロテータ１０及びステータ２０の少なくとも一方において、ロテータ１０が回転する際に相対移動する他の部材と当接しない非当接箇所に、異物を粘着する粘着部４０，５０を設けた。【選択図】図４
2018200750.tif 000002
【特許請求の範囲】
【請求項１】
環状の回転側リング板及び該回転側リング板の内周縁に形成された円筒状の内周筒部で構成した回転体と、環状の固定側リング板及び該固定側リング板の外周縁に設けられた外周筒部で構成した固定体とが相対回転自在に組み付けられ、内部に形成された収容空間に巻き回したフラットケーブルが収容された回転コネクタ装置であって、
前記収容空間と通じる装置内部における前記回転体及び前記固定体の少なくとも一方において、前記回転体が回転する際に相対移動する他の部材と当接しない非当接箇所に、異物を粘着する異物粘着部が設けられた
回転コネクタ装置。
【請求項２】
前記異物粘着部が、
前記回転側リング板の前記非当接箇所において、周方向に配置された
請求項１に記載の回転コネクタ装置。
【請求項３】
前記異物粘着部が、
装置外部より前記収容空間に向かって異物が侵入する侵入経路における前記非当接箇所に設けられた
請求項１又は２に記載の回転コネクタ装置。
【請求項４】
前記侵入経路は、
前記回転側リング板と、前記外周筒部とが対向する対向部分に構成された
請求項３に記載の回転コネクタ装置。
【請求項５】
前記異物粘着部が、
前記侵入経路における前記異物の侵入方向に対して交差する交差方向及び／又は、前記侵入方向に沿う向きで配置された
請求項３又は４いずれかに記載の回転コネクタ装置。
【請求項６】
前記侵入経路に、
前記異物の侵入を抑制する異物侵入抑制機構が設けられ、
前記異物粘着部が、異物侵入抑制機構に設けられた
請求項３乃至５のうちいずれかに記載の回転コネクタ装置。
【請求項７】
前記異物侵入抑制機構は、
前記固定体及び前記回転体の少なくとも一方に備えられるとともに、他方に向けて突出する凸部と、
前記他方に備えられるとともに、前記凸部に対応する凹部とで構成された
請求項６に記載の回転コネクタ装置。
【請求項８】
前記固定体の前記外周筒部が、
外側筒部と、該外側筒部より径内側に配置された内側筒部とで構成されるとともに、
前記外側筒部と前記内側筒部との間に溝部が構成され、
該溝部に前記異物粘着部が設けられた
請求項１乃至７のうちいずれかに記載の回転コネクタ装置。
【請求項９】
前記回転側リング板及び前記固定側リング板の少なくとも一方における前記収容空間に対向する対向部分に、他の部分と比べて凹状となる凹状部が設けられ、
該凹状部で前記非当接箇所を構成した
請求項１乃至８のうちいずれかに記載の回転コネクタ装置。
【発明の詳細な説明】
【技術分野】
【０００１】
この発明は、自動車などの車両に装着される回転コネクタ装置に関する。
【背景技術】
【０００２】
例えば、特許文献１に記載されるような回転コネクタ装置は、ステアリングコラムに固定する固定体と、ステアリングホイールの転舵に追従して回転する回転体とを相対回転自在に組み付けて構成するとともに、内部に形成された円環状の収容空間にフラットケーブルを収容しており、ステアリングコラムに対して転舵するステアリングと車体とを電気的に接続することができる。
【０００３】
このような前記回転コネクタ装置は、固定体と回転体とが相対回転可能に組み付けられており、例えば、その対向部分などにおいて隙間が生じるため、砂、ゴミ、塵埃等の異物が、隙間から装置内部の収容空間に入り込むおそれがある。このように、固定体と回転体との対向部分の隙間から装置内部の収容空間に異物が入り込んだ場合、固定体に対する回転体の回転に伴って巻き絞め及び巻き解きされるフラットケーブルや、相対回転する部位と異物が互いに擦り合わされるため、フラットケーブルの移動に対して異物が支障をきたしたり、あるいは、相対回転に伴って異音が発生したりするおそれがあった。
【先行技術文献】
【特許文献】
【０００４】
【特許文献１】特開２０００−６８０２０号公報
【発明の概要】
【発明が解決しようとする課題】
【０００５】
そこで本発明は、相対回転性を低下させることなく、前記回転体の回転に伴って装置内部で異物が支障をきたすことを防止できる回転コネクタ装置を提供することを目的とする。
【課題を解決するための手段】
【０００６】
この発明は、環状の回転側リング板及び該回転側リング板の内周縁に形成された円筒状の内周筒部で構成した回転体と、環状の固定側リング板及び該固定側リング板の外周縁に設けられた外周筒部で構成した固定体とが相対回転自在に組み付けられ、内部に形成された収容空間に巻き回したフラットケーブルが収容された回転コネクタ装置であって、前記収容空間と通じる装置内部における前記回転体及び前記固定体の少なくとも一方において、前記回転体が回転する際に相対移動する他の部材と当接しない非当接箇所に、異物を粘着する異物粘着部が設けられたことを特徴とする。
【０００７】
上述の相対移動する他の部材は、前記固定体及び前記回転体に対する他の部材があり、前記固定体に対する他の部材としては回転する前記回転体や前記回転体の回転に伴って移動する前記フラットケーブルであり、また回転体に対する他の部材としては、相対回転する前記固定体や前記回転体の回転に伴って移動する前記フラットケーブルとなる。  
上記非当接箇所は、前記回転体や前記固定体において、通常の使用状態において、上述のような他の部材が当接するおそれのない場所とする。
【０００８】
この発明により、相対回転性を低下させることなく、装置内部において前記回転体の回転に伴って前記異物が支障をきたすことを防止できる。  
詳述すると、装置内部における前記非当接箇所に前記異物粘着部を配置することで、前記回転体が回転する際に相対移動する部材を粘着することなく、前記非当接箇所に設けた前記異物粘着部で前記異物を粘着できるため、前記回転体の回転性を損なうことなく、前記異物が前記非当接箇所にとどまることとなる。そのため、前記回転体の回転に伴って前記異物が支障をきたすことを防止できる。
【０００９】
この発明の態様として、前記装置内部において前記回転側リング板の前記非当接箇所に前記異物粘着部を周方向に配置してもよい。  
この発明により、前記収容空間内での前記回転体の回転に伴う前記異物によって支障をきたすことを効果的に防止することができる。
【００１０】
詳述すると、前記異物粘着部を回転する前記回転側リング板の前記非当接箇所において周方向に配置することにより、前記回転体が回転した状態であっても、前記異物粘着部は周方向にいずれの位置にも配置されていることとなるため、つまり、装置内部におけるいずれの位置に対しても前記回転体の回転状態において途切れることなく前記異物粘着部が配置されていることになり、前記異物を前記異物粘着部で効果的に粘着することができる。したがって、前記収容空間内での前記回転体の回転に伴う前記異物によって支障をきたすことを効果的に防止することができる。
【００１１】
またこの発明の態様として、前記異物粘着部を、装置外部より前記収容空間に向かって前記異物が侵入する侵入経路における前記非当接箇所に配置してもよい。  
上記侵入経路は、前記固定体と前記回転体が対向する箇所、あるいは前記固定体や前記回転体を組み付けて構成した場合などにおける組み付け箇所など、前記異物が装置外部から前記収容空間に向かって侵入可能な箇所を指す。
【００１２】
この発明により、前記収容空間への前記異物の侵入を防止することができる。  
詳述すると、装置外部より前記収容空間に向かう前記侵入経路に前記異物粘着部を設けることにより、前記侵入経路で前記異物を粘着でき、前記異物が前記収容空間に侵入することを防止できる。
【００１３】
またこの発明の態様として、前記侵入経路は、前記回転側リング板と前記外周筒部が対向する対向部分に構成されており、該対向部分の前記非当接箇所に前記異物粘着部を設けてもよい。  
この発明により、前記侵入経路内において前記異物の前記収容空間への侵入をより効果的に防止することができる。
【００１４】
詳述すると、前記回転側リング板と前記外周筒部が対向する対向部分は、前記固定体と前記回転体との相対回転に支障をきたすことがないように適宜の間隔、つまり隙間が設けられているため、装置外部より前記収容空間に向かって前記異物が侵入しやすくなる。これに対し、前記回転側リング板と前記外周筒部が対向する対向部分である前記侵入経路に前記異物粘着部を設けることによって、つまり、相対回転という回転コネクタの本来の目的を達成するために設けられた、回転コネクタ装置において侵入しやすい箇所に前記異物粘着部を設けることで、より効果的に前記収容空間内への前記異物の侵入を防止することができる。
【００１５】
またこの発明の態様として、前記異物粘着部を、前記侵入経路における前記異物の侵入方向に対して交差する交差方向及び／又は前記侵入方向に沿う方向で配置してもよい。  
上記侵入方向は前記侵入経路において前記装置外部と前記収容空間とに通じる方向のうち前記装置外部から前記収容空間に向かう方向に沿う方向であり、上述の侵入方向に交差する方向とは、前記侵入方向に対して直交する方向のみならず、直交する方向に対してわずかに交差する方向を含み、上述の侵入方向に沿う方向とは、前記侵入方向に平行な方向や平行な方向に対してわずかに交差する方向を含むものとする。
【００１６】
この発明により、前記異物が前記異物粘着部により粘着し易くなり、前記収容空間内への前記異物の侵入をさらに効果的に防止することができる。  
詳述すると、装置内部に通じる前記侵入経路において前記侵入方向に沿って前記異物粘着部が設けられているため、前記侵入経路を侵入する前記異物を前記侵入方向に沿って設けられた前記異物粘着部で粘着することができる。また、例えば、前記侵入経路において侵入方向が変化する箇所に前記侵入方向に交差する方向に前記異物粘着部を設けることで、前記侵入経路に沿って侵入方向が変化する前記異物を効率的に前記異物粘着部で粘着することができ、前記収容空間内への前記異物の侵入をさらに効果的に防止することができる。
【００１７】
またこの発明の態様として、前記侵入経路に、前記異物の侵入を抑制する異物侵入抑制機構が設けられ、該異物侵入抑制機構に前記異物粘着部を設けてもよい。  
この発明により、前記異物侵入抑制機構で前記収容空間へ移動する前記異物の侵入が抑制され、前記侵入経路において侵入を抑制された前記異物を前記異物粘着部で粘着することで、前記収容空間への侵入を確実に防止することができる。
【００１８】
またこの発明の態様として、前記異物侵入抑制機構は、前記固定体及び前記回転体の少なくとも一方に備えられるとともに、他方に向けて突出する凸部と、前記他方に備えられるとともに、前記凸部に対応する凹部とで構成してもよい。
【００１９】
この発明により、装置サイズを拡大することなく、前記異物の前記収容空間への侵入をより確実に防止することができる。  
詳述すると、前記異物侵入抑制機構を、突出した凸部と、該凸部に対応し、僅かに離間するように窪んだ凹部で構成することで、装置サイズを拡大することなく、前記異物が前記収容空間に侵入するための前記侵入経路の経路長を拡張することができる。したがって、凸部と凹部という簡単な構成で前記異物の前記収容空間への侵入を抑制することができる。さらに、前記侵入経路の経路長が拡張されているため、前記異物粘着部を配置しやすくなり、前記異物の前記収容空間への侵入をより確実に防止することができる。
【００２０】
またこの発明の態様として、前記固定体の前記外周筒部が、外側筒部と、該外側筒部より径内側に配置された内側筒部とで構成されるとともに、前記外側筒部と前記内側筒部との間に溝部が構成され、該溝部に前記異物粘着部が設けられてもよい。
【００２１】
この発明により、前記外周筒部を構成する前記外側筒部と前記内側筒部との間に構成された前記溝部に前記異物が入り込み、溝部に入り込んだ前記異物を前記異物粘着部で粘着するため、前記収容空間に侵入することをさらに確実に防止できる。また、仮に、底面側が開口する溝部である場合、前記回転体の回転に伴う前記フラットケーブルの移動によって前記収容空間から押し出された前記異物を底面側が開口する溝部内部の前記異物粘着部で粘着できるため、前記異物が前記収容空間に再度侵入することを防止できる。
【００２２】
またこの発明の態様として、前記回転側リング板及び前記固定側リング板の少なくとも一方における前記収容空間に対向する対向部分に、他の部分と比べて凹状となる凹状部を形成し、該凹状部で前記非当接箇所を構成してもよい。
【００２３】
この発明により、他の部分と比べて凹状となる前記凹状部を設けることで、前記回転側リング板及び前記固定側リング板の少なくとも一方における前記収容空間に対向する対向部分における所望の箇所に前記非当接箇所が形成でき、所望の箇所に形成した該非当接箇所における前記異物粘着部で、前記収容空間内に侵入した前記異物を粘着することができる。
【発明の効果】
【００２４】
本発明は、相対回転性を低下させることなく、前記回転体の回転に伴って装置内部で異物が支障をきたすことを防止できる回転コネクタ装置を提供することができる。
【図面の簡単な説明】
【００２５】
【図１】回転コネクタ装置の概略斜視図。
【図２】回転コネクタ装置の概略分解斜視図。
【図３】ロテータの底面側からの斜視図。
【図４】回転コネクタ装置の概略断面図。
【図５】回転コネクタ装置の拡大説明図。
【図６】別の実施形態の回転コネクタ装置の概略断面図。
【発明を実施するための形態】
【００２６】
この発明の一実施形態を、以下図１から図５を用いて説明する。  
図１は上方からみた回転コネクタ装置１（ステアリングロールコネクタ、以下においてＳＲＣ１とする）の概略斜視図を示し、図２は上方からみたＳＲＣ１の概略分解斜視図を示し、図３は底面側からみたロテータ１０の斜視図を示し、図４はＳＲＣ１の片断面における概略断面図とともに、図５は図４におけるａ部乃至ｃ部の拡大図を示している。
【００２７】
詳述すると、図２及び図４は、フラットケーブルＦを透過した状態を図示しており、図４は、ＳＲＣ１における片断面のみを図示している。また、図２及び図４において、理解を容易にするためにフラットケーブルＦの厚みを厚く図示している。
【００２８】
図５（ａ）は図４におけるａ部の拡大図を示し、図５（ｂ）は図４におけるｂ部の拡大図を示し、図５（ｃ）は図４におけるｃ部の拡大図を示している。なお、図４及び図５において、理解を容易にするために回転側粘着部４０及び固定側粘着部５０を適宜の厚みを有するように図示しているが、厚みを有するものでなくてもよい。
【００２９】
また、本実施形態において、ステータ２０を基準として、ロテータ１０側を上方とし、スリーブ３０側を下方とする。また、上方からみたＳＲＣ１において、右回り方向を時計回り方向とするともに、左回り方向を反時計回り方向とする。
【００３０】
本発明のＳＲＣ１は、図１及び図２に示すように、ステアリングホイール（図示省略）の転舵に追従するロテータ１０と、ステアリングコラム（図示省略）に固定するステータ２０と、ロテータ１０に固定されるスリーブ３０とをこの順で中心軸Ｘに沿って組み付けて構成している。
【００３１】
このＳＲＣ１は、ステータ２０に対してロテータ１０及びスリーブ３０が、中心軸Ｘを回転中心とする時計回り方向と反時計回り方向との両回転方向に相対回転自在に組み付けられており、内部に形成した円環状の収容空間Ｓに巻き回したフラットケーブルＦを収容している。
【００３２】
ロテータ１０は、図２に示すように、ＳＲＣ１の上面を構成する円環で略平リング板状の天板部１１と、天板部１１の内縁から下方に向けて突出してＳＲＣ１の内周面を構成する略円筒状の内周筒部１２とが一体に構成され、上方に突出するコネクタ部１６をふたつ天板部１１に備えている。
【００３３】
ロテータ１０を構成する天板部１１は、図４に示すように、外径が後述するステータ２０の外周筒部２２よりひと回り小径に形成されており、径内側から径外側に向けて、天板内周部分１１１、天板本体部分１１２及び天板外周凹部１１３をこの順に配置して構成している。  
天板本体部分１１２は略平板状に形成され、天板内周部分１１１は径方向断面において径内側に向けて下方に傾斜する傾斜面１１１ａを底面側に有する断面テーパ状に形成されている。
【００３４】
また、天板本体部分１１２における径方向に略中央付近には、装置外部より収容空間Ｓを視認できる視認窓１５を設けている。  
視認窓１５は、径方向に比べて周方向に長い平面視略長方形状の開口であり、透明のカバー１５１を備えている。
【００３５】
天板外周凹部１１３は、下面が天板本体部分１１２の上面と略一致する円環の平板状の外縁に沿って下方に向けて突出する下方突出部１１３ａを備えるとともに、平板状の内縁と天板本体部分１１２の外縁と連結する連結内壁部１１３ｂとを備え、天板外周凹部１１３は、下方突出部１１３ａと連結内壁部１１３ｂとで、天板本体部分１１２の上面より上方に突出する下向きの略凹状に形成されている。
【００３６】
なお、下方突出部１１３ａは、所定の長さだけ下方に突出しており、下方の先端が断面円弧状に形成されるとともに、天板外周凹部１１３の径外側の外周縁の全周に亘って形成された環状の略筒状体である。
【００３７】
以上のように構成した天板部１１は、天板本体部分１１２における径外側と天板外周凹部１１３の連結内壁部１１３ｂとが径方向に連結されるとともに、天板内周部分１１１の径外側と天板本体部分１１２の径内側とが連結され、さらには、天板内周部分１１１の径内側が内周筒部１２の上端と連結されている。
【００３８】
内周筒部１２は、天板部１１の内径と同一の内径を有する筒状体であり、下端に径内側に突出する径内突出部１２１を備えている。  
径内突出部１２１は、径内側に延びる水平部分１２１ａと、水平部分１２１ａの内縁から下方に延びる径内壁１２１ｂとで断面逆Ｌ型に形成している。
【００３９】
このように構成された内周筒部１２は、上述したように天板部１１の天板内周部分１１１の内縁と上端とが連結され、天板部１１と内周筒部１２とで構成されたロテータ１０は、片断面において断面逆Ｌ型を構成している。
【００４０】
このように構成されたロテータ１０の底面側における非当接箇所には、図３乃至図５に示すように、回転側粘着部４０（４１，４２，４３）を設けている。  
なお、ロテータ１０の底面側における非当接箇所とは、通常の使用状態において、ロテータ１０の回転に伴って相対回転するステータ２０や、収容空間Ｓにおいて巻き絞めあるいは巻き解きされるフラットケーブルＦが当接しない箇所である。また、回転側粘着部４０は、ＳＲＣ１内部において意図しない異物を粘着できれば、どのような形態であってもよいが、例えば、薄膜状の両面テープなどによって構成することができる。
【００４１】
回転側粘着部４０について詳述すると、ロテータ１０の天板部１１の底面側において、天板本体部分１１２の中央付近に周方向に沿う回転側粘着部４１を設け、天板本体部分１１２の底面における外縁側から天板外周凹部１１３の連結内壁部１１３ｂの底面側にわたって回転側粘着部４２を設け、天板外周凹部１１３の下方突出部１１３ａの底面側に回転側粘着部４３を設けている。
【００４２】
なお、回転側粘着部４１は、所定の幅を有するとともに周状に形成されており、視認窓１５に対応する部分には、視認窓１５の外縁に沿って囲むように視認窓粘着部４１ａが設けられている。また、回転側粘着部４１及び視認窓粘着部４１ａは、天板本体部分１１２の底面において他の表面より凹ませた部分に設けているため、天板本体部分１１２の底面において、他の表面より回転側粘着部４１や視認窓粘着部４１ａが収容空間Ｓ側に突出することなく設けられている。
【００４３】
また、下方突出部１１３ａの下端は、後述するステータ２０の突出円環部２２３の上面に当接するおそれがあり、下方突出部１１３ａと連結内壁部１１３ｂとの間の底面は、後述するステータ２０の上方突出壁２２３ｂの上端が当接するおそれがあるため、回転側粘着部４０を設けていない。
【００４４】
ステータ２０は、図２に示すように、ＳＲＣ１の下面を構成する円環で略平板状の底板部２１と、底板部２１の外縁から上方に向けて突出してＳＲＣ１の外周面を構成する略円筒状の外周筒部２２とを組み付けて構成している。
【００４５】
ステータ２０を構成する底板部２１は、片断面が略Ｖ字状となる底面本体２１１と、底面本体２１１の内縁から径内側に延びる径内円環部２１２とで構成され、底面本体２１１の上面における断面中央付近と、径内円環部２１２の上面とに他の上面より凹状となる凹状溝２１３が設けられている。
【００４６】
ステータ２０を構成する外周筒部２２は、図４に示すように、底板部２１の外縁から上方に延設され、所定の板厚で形成された筒状体であり、下方から上方に向けて、外周部本体２２１及び突出上端部２２２を配置して構成し、突出上端部２２２における下方から径内側に突出する円環で略平板状の突出円環部２２３を備えている。換言すると、外周筒部２２において、突出円環部２２３より上方を突出上端部２２２としている。
【００４７】
突出上端部２２２は、外径が外周部本体２２１の外径と同一であるとともに、外周部本体２２１の３分の２程度の板厚に形成された筒状体であり、ＳＲＣ１の組み付け状態において、頂部２２２ａが天板部１１における天板外周凹部１１３の上面と略一致するように形成されている。
【００４８】
なお、外周部本体２２１の３分の２程度の板厚に形成された突出上端部２２２は、ＳＲＣ１の組み付け状態において、ステータ２０に対してロテータ１０がスムーズに回転できるように、下方突出部１１３ａとの間に適宜の間隔が設けられている。
【００４９】
突出円環部２２３は、径内側に向けて上方に傾斜する傾斜面２２３ａを有する断面テーパ状に形成されており、先端よりわずかに径外側から上方に向けて突出する上方突出壁２２３ｂが備えられている。
【００５０】
上方突出壁２２３ｂは、突出円環部２２３の先端側の全周に形成された環状の略円筒体であり、ＳＲＣ１の組み付け状態において、下方突出部１１３ａと連結内壁部１１３ｂとで構成する下向きの凹状となる天板外周凹部１１３と対向するように設けられている。
【００５１】
また、外周筒部２２の外周面には、接線方向に突出するコネクタ部２６は二つ設けられている。  
このように構成された底板部２１と外周筒部２２とは組み付けられるとともに、周方向に適宜の間隔を隔てて配置した係止固定部２７で組み付け状態が固定され、ステータ２０を構成している、
【００５２】
なお、ステータ２０の上面側における非当接箇所には、図３乃至図５に示すように、固定側粘着部５０（５１，５２，５３，５４）を設けている。  
なお、ステータ２０の底面側における非当接箇所とは、ステータ２０に対して回転するロテータ１０や、収容空間Ｓにおいてロテータ１０の回転に伴って巻き絞めあるいは巻き解きされるフラットケーブルＦが当接しない箇所である。また、固定側粘着部５０は、回転側粘着部４０と同様に、ＳＲＣ１内部において意図しない異物を粘着できれば、どのような形態であってもよい。
【００５３】
固定側粘着部５０について詳述すると、底面本体２１１の上面における断面中央付近に設けられた凹状溝２１３に固定側粘着部５１を設け、径内円環部２１２の上面に設けられた凹状溝２１３に固定側粘着部５２を設けている。
【００５４】
さらに、上方突出壁２２３ｂの径内側と径外側において、突出円環部２２３との角部を跨いで固定側粘着部５３を設け、突出上端部２２２の径内側において突出円環部２２３との角部を跨いで固定側粘着部５４を設けている。
【００５５】
なお、突出円環部２２３の上面において、突出上端部２２２と上方突出壁２２３ｂとの間は、上述の下方突出部１１３ａの下端が当接するおそれがあるため、固定側粘着部５０を設けていない。
【００５６】
スリーブ３０は、図２に示すように、略円筒状の円筒部３１と、円筒部３１の上端から径外側に広がる拡径部３２と、拡径部３２の外縁に形成され、上方に突出する押え凸部３３とで構成されている。このように構成されたスリーブ３０は、ステータ２０に対してロテータ１０の反対側に配置され、ロテータ１０の径内突出部１２１と押え凸部３３とでステータ２０の径内円環部２１２及び底面本体２１１の内縁を上下方向から挟み込むように下方からロテータ１０に固定される。
【００５７】
上述のように構成したロテータ１０とスリーブ３０を、ステータ２０に対して相対回転自在に組み付け、組み付けられたロテータ１０とステータ２０とで環状の収容空間Ｓを内部に形成し、収容空間Ｓに巻き絞め及び巻き解き可能にフラットケーブルＦを収容することでＳＲＣ１を構成することができる。
【００５８】
なお、収容空間Ｓに巻き絞め及び巻き解き可能に収容されたフラットケーブルＦの径内側である内側フラットケーブルＦｉは、先端がコネクタ部１６に接続されるとともに、ロテータ１０の内周筒部１２の外周面に巻き付けられている。フラットケーブルＦの径外側である外側フラットケーブルＦｏは、コネクタ部２６に接続されるとともに、が外周筒部２２の内面に沿って巻きまわされている。また、図２に示すように、フラットケーブルＦの中間部分である中間フラットケーブルＦｃは収容空間Ｓにおいて曲返されている。
【００５９】
そのため、ステータ２０に対してロテータ１０を時計回り方向に回転させると、外周筒部２２の内面に沿って巻きまわされた外側フラットケーブルＦｏが巻き解かれ、曲げ返しされた中間フラットケーブルＦｃが時計回り方向に移動しながら内側フラットケーブルＦｉがロテータ１０の内周筒部１２の外周面にさらに巻き付けられることとなる。
【００６０】
逆に、ステータ２０に対してロテータ１０を反時計回り方向に回転させると、ロテータ１０の内周筒部１２の外周面に巻き付けられた内側フラットケーブルＦｉが巻き解かれ、曲げ返しされた中間フラットケーブルＦｃが反時計回り方向に移動しながら、外側フラットケーブルＦｏが外周筒部２２の内面に沿ってさらに巻きまわされることとなる。
【００６１】
このように、ステータ２０に対してロテータ１０を回転させることにより、収容空間Ｓにおいて、フラットケーブルＦは、回転するロテータ１０に対しても、回転が固定されたステータ２０に対しても相対移動することとなる。
【００６２】
なお、収容空間ＳにおけるフラットケーブルＦの径方向の移動では、高さ方向における所定の位置に巻き回れるように、径内側が天板内周部分１１１の傾斜面１１１ａにより、径外側が突出円環部２２３の傾斜面２２３ａによって案内されるように構成されている。
【００６３】
なお、上述のように組み付けられたＳＲＣ１は、ステータ２０に対してロテータ１０がスムーズに回転するため、ステータ２０の外周筒部２２の上方と、ロテータ１０の天板部１１の外縁側とは所定の間隔を隔てて対向する。
【００６４】
このように、ステータ２０の外周筒部２２の上方と、ロテータ１０の天板部１１の外縁側とは所定の間隔を隔てて対向することで、ステータ２０の外周筒部２２の上方と、ロテータ１０の天板部１１の外縁側との間に、意図しない異物がＳＲＣ１の内部に侵入する可能性のある第１侵入経路Ｒ１が構成されることとなる。
【００６５】
しかしながら、第１侵入経路Ｒ１を構成するステータ２０の外周筒部２２の上方とロテータ１０の天板部１１の外縁側との対向部分では、突出円環部２２３の上面は、天板外周凹部１１３の下面と平行に対向するとともに、突出上端部２２２、下方突出部１１３ａ及び上方突出壁２２３ｂが径外側から径内側に向けてこの順に配置され、上下方向に平行に配置された天板外周凹部１１３と突出円環部２２３との間において、下方突出部１１３ａの先端が突出上端部２２２の頂部２２２ａ及び上方突出壁２２３ｂの先端よりも下方に突出しているため、ＳＲＣ１の外部から収容空間Ｓへ侵入する経路長を拡張して異物の侵入を抑制する侵入抑制構造を構成している。
【００６６】
侵入抑制構造を構成する第１侵入経路Ｒ１において、回転側粘着部４２，４３及び固定側粘着部５３，５４は、異物の侵入方向に対して交差する方向、より詳しくは、第１侵入経路Ｒ１を侵入しようとする異物の侵入方向前方において交差する方向に設けられている。なお、回転側粘着部４２は、突出円環部２２３の傾斜面２２３ａの延長線上より径外側に配置されている。
【００６７】
また、ＳＲＣ１は、ロテータ１０の径内突出部１２１とスリーブ３０の押え凸部３３とでステータ２０の径内円環部２１２及び底面本体２１１の内縁を上下方向から挟み込むように固定しているものの、ロテータ１０とスリーブ３０を、ステータ２０に対して相対回転自在に組み付けているため、ステータ２０の底板部２１を上下方向から挟み込むように組み付けたロテータ１０の径内突出部１２１とスリーブ３０の押え凸部３３との組み付け部分に、意図しない異物がＳＲＣ１の内部に侵入する可能性のある第２侵入経路Ｒ２を構成することとなる。  
また、第２侵入経路Ｒ２において、固定側粘着部５２は、異物の侵入方向に沿う方向に設けられている。
【００６８】
このように、環状の天板部１１及び天板部１１の内周縁に形成された円筒状の内周筒部１２で構成したロテータ１０と、環状の底板部２１及び底板部２１の外周縁に設けられた外周筒部２２で構成したステータ２０とが相対回転自在に組み付けられ、内部に形成された収容空間Ｓに巻き回したフラットケーブルＦが収容されたＳＲＣ１は、収容空間Ｓと通じるＳＲＣ１内部におけるロテータ１０及びステータ２０において、ロテータ１０が回転する際に相対移動する他の部材と当接しない非当接箇所に、異物を粘着する粘着部４０，５０を設けているため、相対回転性を低下させることなく、ＳＲＣ１内部においてロテータ１０の回転に伴って異物が支障をきたすことを防止できる。
【００６９】
詳述すると、ＳＲＣ１内部における非当接箇所に粘着部４０，５０を配置することで、ロテータ１０が回転する使用状態において相対移動する部材を粘着することなく、非当接箇所に設けた粘着部４０，５０で異物を粘着できるため、ロテータ１０の回転性を損なうことなく、異物が非当接箇所にとどまることとなり、ロテータ１０の回転に伴って異物が支障をきたすことを防止できる。
【００７０】
また、ＳＲＣ１内部において天板部１１の非当接箇所に回転側粘着部４１を周方向に配置しているため、収容空間Ｓでのロテータ１０の回転に伴う異物によって支障をきたすことをより防止することができる。
【００７１】
詳述すると、回転側粘着部４１を回転する天板部１１の非当接箇所において周方向に配置することにより、ロテータ１０が回転した状態であっても、回転側粘着部４１は周方向にいずれの位置にも配置されていることとなるため、つまり、ＳＲＣ１内部におけるいずれの位置に対してもロテータ１０の回転状態において途切れることなく回転側粘着部４１が配置されていることになり、異物を回転側粘着部４１でより粘着することができる。したがって、収容空間Ｓでのロテータ１０の回転に伴う異物によって支障をきたすことをより防止することができる。
【００７２】
また、回転側粘着部４１において、視認窓１５の外縁を囲む視認窓粘着部４１ａを設け、視認窓粘着部４１ａで異物を粘着できるため、視認窓１５に異物が付着して、外部から視認窓１５を介して収容空間Ｓを視認する際の視認性の低下を防止することができる。
【００７３】
また、粘着部４０，５０を、装置外部より収容空間Ｓに向かって異物が侵入する侵入経路Ｒ１，Ｒ２における非当接箇所に配置しているため、収容空間Ｓへの異物の侵入を防止することができる。
【００７４】
詳述すると、装置外部より収容空間Ｓに向かう侵入経路Ｒ１，Ｒ２に粘着部４０，５０を設けることにより、侵入経路Ｒ１，Ｒ２で異物を粘着でき、異物が収容空間Ｓに侵入することを防止できる。
【００７５】
また、天板部１１と外周筒部２２が対向する対向部分に構成される第１侵入経路Ｒ１における非当接箇所に回転側粘着部４２，４３及び固定側粘着部５３，５４を設けているため、第１侵入経路Ｒ１内において異物の収容空間Ｓへの侵入をより効果的に防止することができる。
【００７６】
詳述すると、天板部１１と外周筒部２２が対向する第１侵入経路Ｒ１は、ステータ２０とロテータ１０との相対回転に支障をきたすことがないように設けられた適宜の間隔、つまり隙間によって構成されているため、装置外部より収容空間Ｓに向かって異物が侵入する可能性がある。これに対し、天板部１１と外周筒部２２が対向する対向部分である第１侵入経路Ｒ１に回転側粘着部４２，４３及び固定側粘着部５３，５４を設けることによって、つまり、相対回転という回転コネクタ装置の本来の目的を達成するために設けられた、回転コネクタ装置において侵入しやすい箇所に回転側粘着部４２，４３及び固定側粘着部５３，５４を設けることで、より効果的に収容空間Ｓへの異物の侵入を防止することができる。
【００７７】
また、粘着部４０，５０を、侵入経路Ｒ１，Ｒ２における異物の侵入方向に対して交差する交差方向や侵入方向に沿う方向で配置しているため、異物が粘着部４０，５０により粘着し易くなり、収容空間Ｓへの異物の侵入をさらに効果的に防止することができる。
【００７８】
詳述すると、収容空間Ｓに通じる第２侵入経路Ｒ２において侵入方向に沿って固定側粘着部５２が設けられているため、第２侵入経路Ｒ２を侵入する異物を侵入方向に沿って設けられた固定側粘着部５２で粘着することができる。また、第１侵入経路Ｒ１において侵入方向が変化する箇所に侵入方向に交差する方向に回転側粘着部４２，４３及び固定側粘着部５３，５４を設けることで、第１侵入経路Ｒ１に沿って侵入方向が変化する異物を効率的に回転側粘着部４２，４３及び固定側粘着部５３，５４で粘着することができ、収容空間Ｓへの異物の侵入をさらに効果的に防止することができる。
【００７９】
また、第１侵入経路Ｒ１を、異物の侵入を抑制する侵入抑制構造で構成し、侵入抑制構造の第１侵入経路Ｒ１に回転側粘着部４２，４３及び固定側粘着部５３，５４を設けているため、侵入抑制構造で収容空間Ｓへの異物の侵入を抑制するとともに、第１侵入経路Ｒ１において侵入を抑制された異物を回転側粘着部４２，４３及び固定側粘着部５３，５４で粘着することで、収容空間Ｓへの侵入を確実に防止することができる。
【００８０】
また、ステータ２０に備えられるとともに、ロテータ１０に向けて突出する上方突出壁２２３ｂと、ロテータ１０に備えられるとともに、上方突出壁２２３ｂに対応する天板外周凹部１１３とで侵入抑制構造を構成しているため、装置サイズを拡大することなく、異物の収容空間Ｓへの侵入をより確実に防止することができる。
【００８１】
詳述すると、上方に突出した上方突出壁２２３ｂと、上方突出壁２２３ｂに対して僅かに離間する凹状の天板外周凹部１１３とで侵入抑制構造を構成しているため、装置サイズを拡大することなく、異物が収容空間Ｓに侵入する第１侵入経路Ｒ１の経路長を拡張することができる。したがって、上方突出壁２２３ｂと天板外周凹部１１３という簡単な構成で異物の収容空間Ｓへの侵入を抑制することができる。さらに、第１侵入経路Ｒ１の経路長が拡張されているため、回転側粘着部４２，４３及び固定側粘着部５３，５４が配置しやすくなり、異物の収容空間Ｓへの侵入をより確実に防止することができる。
【００８２】
また、底板部２１の収容空間Ｓに対向する対向部分に、周辺の上面に比べて凹状となる凹状溝２１３を形成し、非当接箇所となる凹状溝２１３に固定側粘着部５１を設けているため、底板部２１における収容空間Ｓに対向する対向部分における所望の箇所に形成した非当接箇所である凹状溝２１３に設けた固定側粘着部５１で、収容空間Ｓに侵入した異物を粘着することができる。
【００８３】
この発明の構成と、上述の実施形態との対応において、
この発明の回転コネクタ装置は、実施形態のＳＲＣ１に対応し、
以下同様に、
回転側リング板は天板部１１に対応し、
内周筒部は内周筒部１２に対応し、
回転体はロテータ１０に対応し、
固定側リング板は底板部２１に対応し、
外周筒部は外周筒部２２に対応し、
固定体はステータ２０に対応し、
収容空間は収容空間Ｓに対応し、
フラットケーブルはフラットケーブルＦに対応し、
回転コネクタ装置はＳＲＣ１に対応し、
異物粘着部は回転側粘着部４０，固定側粘着部５０に対応し、
侵入経路は第１侵入経路Ｒ１，第２侵入経路Ｒ２に対応し、
異物侵入抑制機構は侵入抑制構造に対応し、
凸部は上方突出壁２２３ｂに対応し、
凹部は天板外周凹部１１３に対応し、
凹状部は凹状溝２１３に対応するが、
この発明は、上述の実施形態の構成のみに限定されるものではなく、多くの実施の形態を得ることができる。
【００８４】
例えば、ステータ２０の外周筒部２２を、図６に示すように、径方向に所定間隔を隔てて配置した内側筒部２４１と外側筒部２４２とで構成する二重外周筒部２４で構成し、内側筒部２４１と外側筒部２４２との間に筒内溝部２５（溝部２５）を構成するとともに、筒内溝部２５に固定側粘着部５５を設けてもよい。
【００８５】
詳述すると、ＳＲＣ１における外周筒部２２の代わりとなるＳＲＣ１ａの二重外周筒部２４は、内側筒部２４１と外側筒部２４２とを径方向に所定間隔を隔てて配置するとともに、高さ方向の中間付近において、筒内連結部２４３で内側筒部２４１と外側筒部２４２とを連結して構成している。
【００８６】
このように構成した二重外周筒部２４は、内側筒部２４１の上端付近に突出円環部２２３を設け、外側筒部２４２の上端付近に突出上端部２２２を設けている。また、内側筒部２４１の外面と外側筒部２４２の内面との間に構成される筒内溝部２５は、筒内連結部２４３より上方に上方溝部２５１が構成され、筒内連結部２４３より下方を下方溝部２５２が構成され、上方溝部２５１と下方溝部２５２にそれぞれ固定側粘着部５５を設けている。
【００８７】
なお、二重外周筒部２４が設けられたＳＲＣ１ａにおいて、外周筒部２２が二重外周筒部２４に代わる以外はＳＲＣ１における構成と同じであるため、同じ構成について同じ符号を付してその説明を省略する。
【００８８】
このように、ステータ２０の外周筒部２２を、外側筒部２４２と、外側筒部２４２より径内側に配置された内側筒部２４１とで構成するとともに、外側筒部２４２と内側筒部２４１との間に筒内溝部２５を構成し、筒内溝部２５に固定側粘着部５５が設けることにより、外周筒部２２を構成する外側筒部２４２と内側筒部２４１との間に構成された筒内溝部２５に異物が入り込み、筒内溝部２５に入り込んだ異物を固定側粘着部５５で粘着するため、収容空間Ｓに侵入することをさらに確実に防止できる。
【００８９】
また、ロテータ１０の回転に伴うフラットケーブルＦの移動によって収容空間Ｓから押し出された異物を底面側が開口する下方溝部２５２の固定側粘着部５５で異物を粘着できるため、異物が収容空間Ｓに再度侵入することを防止できる。なお、上方溝部２５１と下方溝部２５２とが連通して筒内溝部２５を構成してもよい。
【００９０】
さらに、第１侵入経路Ｒ１や第２侵入経路Ｒ２以外であっても、例えば、組み付けてステータ２０を構成する底板部２１と外周筒部２２との対向部分を収容空間Ｓへ異物が侵入する侵入経路とし、固定側粘着部５０を設けてもよい。
【符号の説明】
【００９１】
１…ＳＲＣ
１０…ロテータ
１１…天板部
１２…内周筒部
２０…ステータ
２１…底板部
２２…外周筒部
２５…筒内溝部
４０…回転側粘着部
５０…固定側粘着部
１１３…天板外周凹部
２１３…凹状溝
２２３ｂ…上方突出壁
２４１…内側筒部
２４２…外側筒部
Ｆ…フラットケーブル
Ｒ１…第１侵入経路
Ｒ２…第２侵入経路
Ｓ…収容空間
【図１】
2018200750.tif 000003
【図２】
2018200750.tif 000004
【図３】
2018200750.tif 000005
【図４】
2018200750.tif 000006
【図５】
2018200750.tif 000007
【図６】
2018200750.tif 000008